(57)【要約】【課題】ヒータを室外熱交換器の底部の下方に設置することができない箇所についても融解水の再氷結を抑制し、信頼性を向上させた空気調和機の室外機を提供する。【解決手段】本発明に関わる空気調和機の室外機は、室外熱交換器１５の下方に設置され室外熱交換器１５に着霜した融解水を排水するドレン穴３３が設けられたドレンパン３１と、ドレンパン３１の延在面３５上に沿って設けられる加熱部材３２と、該加熱部材３２の一部に当接することで加熱部材３２を延在面３５に固定する固定部材３４とを備え、固定部材３４は、室外熱交換器１５の底部の下方に位置するドレンパン３１の箇所に沿って密着または接触して設けられるとともに加熱部材３２の熱が伝達される伝熱部４１を有している。【選択図】図３
2012107820.tif 000002
【特許請求の範囲】
【請求項１】
室外熱交換器の下方に設置され前記室外熱交換器に着霜した融解水を排水するドレン穴が設けられたドレンパンと、前記ドレンパンの延在面上に沿って設けられる加熱部材と、該加熱部材の一部に当接することで前記加熱部材を前記延在面に固定する固定部材とを備え、
前記固定部材は、前記室外熱交換器の底部の下方に位置する前記ドレンパンの箇所に沿って密着または接触して設けられるとともに前記加熱部材の熱が伝達される伝熱部を有する
ことを特徴とする空気調和機の室外機。
【請求項２】
請求項１に記載の空気調和機の室外機において、
前記固定部材の伝熱部は、前記融解水の前記ドレン穴からの排水を促進するガイド形状である
ことを特徴とする空気調和機の室外機。
【請求項３】
請求項２に記載の空気調和機の室外機において、
前記ガイド形状は、前記ドレン穴に前記融解水を導く複数の流路が形成される形状である
ことを特徴とする空気調和機の室外機。
【請求項４】
室外熱交換器の下方に設置され前記室外熱交換器に着霜した融解水を排水するドレン穴が設けられたドレンパンと、前記ドレンパンの延在面上に沿って設けられる加熱部材と、該加熱部材の一部に当接することで前記加熱部材を前記延在面に固定する固定部材とを備え、
前記固定部材は、前記室外熱交換器の底部とその下方に位置する前記ドレンパンの箇所との間に設けられるとともに前記加熱部材の熱が伝達される伝熱部を有する
ことを特徴とする空気調和機の室外機。
【請求項５】
請求項４に記載の空気調和機の室外機において、
前記固定部材の伝熱部は、前記室外熱交換器の底部とその下方に位置する前記ドレンパンの箇所との間に前記ドレンパンに接することなく設けられる
ことを特徴とする空気調和機の室外機。
【請求項６】
請求項４または請求項５に記載の空気調和機の室外機において、
前記固定部材の伝熱部は、前記融解水を受けて溜める受け皿形状である
ことを特徴とする空気調和機の室外機。
【発明の詳細な説明】
【技術分野】
【０００１】
本発明は、室外機における熱交換器での露付き水の凍結防止に係る空気調和機の室外機に関する。
【背景技術】
【０００２】
本発明に係る背景技術として、特許文献１がある。
特許文献１には、「室外機ベース上に熱交換器を設置する室外機において、管状のヒータを熱交換器の底部の外周形状に倣った形状、または、熱交換器の外周形状とほぼ同じ大きさの形状を形成し、熱交換器を囲むように設置するか、または、ヒータ形状の半分以上が熱交換器の下になるように設置すること」（請求項１参照）が記載されている。
【先行技術文献】
【特許文献】
【０００３】
【特許文献１】特開２００４−６９２２０号公報
【発明の概要】
【発明が解決しようとする課題】
【０００４】
ところで、特許文献１には、空気調和機の室外機における熱交換器を設置する室外機ベースのドレンのヒータによる凍結防止に係わる技術が記載されている。しかし、特許文献１の空気調和機の室外機は、ヒータの設置が不可能となるドレンパンの箇所には、熱交換器の下方にヒータを設置することができない。このような空気調和機の室外機は、ヒータの熱が及ばない箇所で融解水がドレンパン上で再凍結するおそれがある。
【０００５】
本発明は上記実状に鑑み、ヒータを室外熱交換器の底部の外周形状に倣った形状、または、室外熱交換器の外周形状とほぼ同じ大きさの形状で設置することができないなどの箇所についても融解水の再氷結を抑制し、信頼性を向上させた空気調和機の室外機を提供する。
【課題を解決するための手段】
【０００６】
上記目的を達成すべく、第１の本発明に関わる空気調和機の室外機は、室外熱交換器の下方に設置され前記室外熱交換器に着霜した融解水を排水するドレン穴が設けられたドレンパンと、前記ドレンパンの延在面上に沿って設けられる加熱部材と、該加熱部材の一部に当接することで前記加熱部材を前記延在面に固定する固定部材とを備え、前記固定部材は、前記室外熱交換器の底部の下方に位置する前記ドレンパンの箇所に沿って密着または接触して設けられるとともに前記加熱部材の熱が伝達される伝熱部を有している。
【０００７】
第２の本発明に関わる空気調和機の室外機は、室外熱交換器の下方に設置され前記室外熱交換器に着霜した融解水を排水するドレン穴が設けられたドレンパンと、前記ドレンパンの延在面上に沿って設けられる加熱部材と、該加熱部材の一部に当接することで前記加熱部材を前記延在面に固定する固定部材とを備え、前記固定部材は、前記室外熱交換器の底部とその下方に位置する前記ドレンパンの箇所との間に設けられるとともに前記加熱部材の熱が伝達される伝熱部を有している。
【発明の効果】
【０００８】
本発明によれば、ヒータを室外熱交換器の底部の下方に設置することができない箇所についても融解水の再氷結を抑制し、信頼性を向上させた空気調和機の室外機を実現できる。
【図面の簡単な説明】
【０００９】
【図１】本発明に係わる第１実施形態の空気調和機の全体構成の斜視図。
【図２】第１実施形態の室外機の外筐の一部を取り外した内部構造斜視図。
【図３】(ａ)は第１実施形態の室外機のドレンパンとドレンパンに関係する部品を示す図２のＡ方向矢視図、(ｂ)は固定具の斜視図。
【図４】(ａ)は第２実施形態の固定具のドレンパンへの取り付け状態を示す斜視図、(ｂ)は第２実施形態の固定具の斜視図。
【図５】第３実施形態のドレンパンでの固定具の一端側の熱伝導平面部を示す斜視図。
【図６】(ａ)は第４実施形態の固定具４５をドレンパン３１に取り付けた状態を示す固定具の一端側の斜視図、(ｂ)は第４実施形態の固定具の一端側の斜視図。
【発明を実施するための形態】
【００１０】
以下、本発明の実施形態について添付図面を参照して説明する。
＜＜第１実施形態＞＞
第１実施形態の空気調和機１の全体構成を、図１を用いて説明する。なお、図１では、空気調和機１の接続状態を示しており、実際の空気調和機１の配置とは異なるものである。
【００１１】
空気調和機１は、室内に配置される室内機２と室外に配置される室外機３とが、冷凍サイクルの冷媒が流れる接続配管４で繋がれている。室内機２において、室内の空気が室内機２内の室内熱交換器(図示せず)を流れる冷媒と熱交換されることにより、室内が空気調和される。
ユーザは、リモコン(remote controller)１０を室内機２に向けて操作することで、操作信号を室内機２に送り、室内機２により所望の空気調和が行われる。
【００１２】
室内機２は、キャビネット５に室内熱交換器，図示しない室内送風機，露受皿等が取付けられ、これらの周囲が化粧枠６で覆われるとともに、化粧枠６の前面に前面パネル７を取り付ける構成である。化粧枠６の上部には、室内空気を吸込む空気吸込み口８が設けられ、化粧枠６の下部には、ユーザが設定した温湿度が調和された空気が吹出される空気吹出し口９が設けられている
【００１３】
室内機２は、内部に図示しない電装品ボックス内に制御基板が備えられ、制御基板にマイコン(Microcomputer)、インターフェース回路、室内送風機の駆動回路等が実装されている。マイコンのＲＯＭ(Read Only Memory)には、空気調和機１を制御するための制御プログラムが焼き付けられ、制御プログラムがＲＡＭ(Random Access Memory)に展開され実行されることで空気調和機１の制御が行われる。
【００１４】
マイコンは図示しない室内温度センサ，室内湿度センサ等の各種のセンサからの検知信号を、インターフェース回路を経由して受け取り、リモコン１０からの操作信号を受光部で受ける。そして、マイコンは、室内へ調和空気を吹き出す室内送風機等を制御するとともに、室外機３との通信を司る等、室内機２を統括して制御する。
【００１５】
図２は、室外機３の外筐体１１の一部を取り外した内部構造斜視図である。
室外機３は、ベースと室外熱交換器１５への露付き水の排水受けを兼ねるドレンパン３１に、冷凍サイクルを構成する圧縮機１８，外気と冷媒との熱交換を行う室外熱交換器１５，および室外熱交換器１５の熱交換を促進する室外ファン１６を搭載している。室外機３は、外筐体１１(図１参照)で覆われ、配管接続バルブｖ１、ｖ２に室内機２からの冷媒が流れる接続配管４を接続している。
【００１６】
ユーザが空気調和機１を運転するときには、室内機２の図示しない電源コードを電源に接続して、リモコン１０を室内機２に向けて操作し操作信号を送り、室内機２により所望の冷房，除湿，暖房等の運転が行われる。
冷房等の運転の場合、リモコン１０から運転操作の操作信号が室内機２の受光部で受信されると、マイコンは、リモコン１０からの操作信号または自動運転が設定されていれば、各種センサからの情報に基づいて冷房等の運転モードを決定する。
【００１７】
次に、マイコンが室外機２の制御部に決定した運転モードに応じた運転を指示するとともに、決定した運転モードに従って、図１に示す室内機２の室内送風機を駆動し、空気吸込み口８から室内空気を取り入れて室内熱交換器に室内空気を流通させ、室内熱交換器を流れる冷媒と熱交換させる。一方、室外機３の制御部は室内機２のマイコンからの指示に従い、圧縮機１８，室外ファン１６を駆動する送風モータ，接続配管４を開閉する制御弁等を制御し、圧縮機１８から送られる冷媒を冷凍サイクルに循環させるとともに、室外空気吸込み部１１ｓから室外熱交換器１５に室外空気を流通させ、室外熱交換器１５を流れる冷媒と外気(室外空気)とを熱交換させる。斯くして、冷房等の運転が行われる。
【００１８】
室外機３について、図１、図２を用いて更に詳述する。
図１に示すように、室外機３を覆う外筐体１１は前面板１２，側面板１３，天板１４からなり、室外熱交換器１５に対向する側面板１３に室外空気を取り入れる吸込み部１１ｓ(図２参照)が設けられ、室外ファン１６に対向する前面板１２に自在に空気の流通ができるファングリル１７が設けられている。
【００１９】
図２に示すように、室外機３における室外ファン１６と圧縮機１８との間には仕切り板１９が配設され、送風機室２０と機械室２１とを仕切っている。
送風機室２０には、前記したように、外気(室外空気)と流される冷媒とで熱交換を行う室外熱交換器１５，熱交換を促進するよう室外空気を室外熱交換器１５に送る室外ファン１６が配設されている。
室外熱交換器１５は、室外機３の側面から背面(後面)にかけて、送風機室２０と機械室２１とに亘って配設され、できる限り大きい熱交換面積を確保することで、熱交換能力を高めている。
【００２０】
室外ファン１６は、室外熱交換器１５が上流側になるとともにファングリル１７(図１参照)が下流側になるように回転駆動され、前記のように室外空気を室外熱交換器１５に流通させ、室外熱交換器１５を流れる冷媒と外気との熱交換を促進する。
機械室２１には、圧縮機１８，気体冷媒を液冷媒と分離して圧縮機１８に送るアキュムレータ，冷媒が流れる冷媒送り管等が配設されている。
【００２１】
室外熱交換器１５の下方には、ドレンパン３１が設けられる。冬季の暖房運転時に室外熱交換器１５への外気の水分の着霜量が所定量を超えたときには、室外熱交換器１５の温度上昇による除霜運転を開始することにより、着霜を融解して融解水をドレンパン３１上に落下させ、ドレン穴３３を通じて機外に排出している。
【００２２】
特に、寒冷地や降雪地で使用される空気調和機１においては、暖房運転時に室外空気(外気)の湿度が高い場合、吸熱で低温となる熱源の室外熱交換器１５に着霜が生じ易くなる。このように、室外熱交換器１５に着霜が生じると、室外空気の通風路が狭くなるため、室外熱交換器１５の熱交換量が減少する。これに伴い、室外熱交換器１５を流れる冷媒の蒸発温度が下がるため、室外熱交換器１５の表面温度が低下して着霜がさらに進み、室外熱交換器１５で室外空気から汲み上げる熱量が減少する。その結果、室内機２の室内熱交換器から放熱する熱量が減少し、暖房能力が低下して室内の快適性が損なわれるおそれがある。また、消費電力が増加するおそれがある。
【００２３】
ところが、例えば、外気温が氷点下まで低下すると、除霜運転により融解した融解水はドレン穴３３から排出される前にドレン穴３３の付近で再氷結し、ドレン穴３３を塞ぐことがある。
このように、ドレン穴３３が閉塞するとドレンパン３１上に融解水が貯留するため、融解水の再氷結はドレンパン３１上で広範囲に進行する。これにより、室外熱交換器１５が氷で覆われることにより、暖房能力が低下して室内の快適性が損なわれる可能性がある。
【００２４】
このようなドレンパン３１上での再氷結を防止するため、加熱するための管状のヒータ３２を室外熱交換器１５の底部やドレンパン３１に設置している。
図３(ａ)は、第１実施形態の室外機３のドレンパン３１とドレンパン３１に関係する部品を示す図２のＡ方向矢視図であり、図３(ｂ)は、固定具３４の斜視図である。
第１実施形態の室外機３では、ヒータ３２をドレンパン３１に固定するとともに、ドレンパン３１の底面３５(図３(ａ)参照)に沿って設けられる固定具３４の例を説明する。
室外機３は、図２に示す室外熱交換器１５の下方に、室外機３の下面に亘って、室外機３のベースと着霜の融解水の水受けとを兼ねるドレンパン３１が設けられる。
【００２５】
ドレンパン３１には、室外熱交換器１５の下方または室外熱交換器１５の近くに、室外熱交換器１５の着霜を融解するためのヒータ３２が取り付けられる。ヒータ３２は、室外熱交換器１５の底部とドレンパン３１との間に入る場合には、室外熱交換器１５の下方のドレンパン３１上に設けられる一方、室外熱交換器１５の底部とドレンパン３１との間に入らない場合には、室外熱交換器１５の真下からズレた室外熱交換器１５近くのドレンパン３１上に設けられる。
【００２６】
以下の説明では、ドレンパン３１に関連する構成部品（以下、これらをドレンパン構造と総称す）を中心に説明し、他の構成については説明を省略する。
図３(ａ)に示すように、ドレンパン３１廻りのドレンパン構造は、室外機３のベースおよび排水受けを兼ねるドレンパン３１と、室外熱交換器１５の着霜の融解用のヒータ３２と、ヒータ３２の固定およびヒータ３２の熱の室外熱交換器１５の下方への伝導を兼ねる固定具３４とを備えて構成される。
【００２７】
ドレンパン３１は、延在面である底面３５と、底面３５から凹んで形成され室外熱交換器１５底部の下方に設けられ融解水の流路となる水受け底面３６と、底面３５および水受け底面３６の周囲に土手状に形成された土手部３１ｄとの組合せで形成される矩形の浅い皿状の容器である。
【００２８】
ドレンパン３１には、ドレン穴３３がドレンパン３１の四隅の一角に室外熱交換器１５底部の下方の水受け底面３６を貫通して形成されている。ドレン穴３３は、ドレンパン３１に溜まった水を集めて集中排水を目的とするため、その形状は長円に限られるものではない。なお、ドレン穴３３が形成される場所は、ドレンパン３１の四隅の一角に限られるものではない。
【００２９】
例えば、ドレン穴３３は、図３(ａ)に示す角部の２つと、角部の２つのドレン穴３３の間に１つのドレン穴３３が形成される。そして、室外機３をマンション等の集合住宅の部屋の外に宙吊りにして配設する場合には、１つのドレン穴３３に排水ホースをつなぎ、他のドレン穴３３は塞いで用いることになる。
ドレンパン３１は、例えば薄い板厚の亜鉛メッキ鋼板などを用いて形成されるが、限定されない。
【００３０】
ヒータ３２は、例えばシーズヒータのような管状のヒータであり、１本のヒータを平面状に折り曲げたりして形成される。具体的には、図３(ａ)に示すように、ヒータ３２は、略矩形の環状に折り曲げた環状部分３７と一端側と他端側を直線上に並列させた並列部分３８などにより構成される。
【００３１】
ここで、ヒータ３２を平面状に折り曲げたりして形成するのは、ドレンパン３１の延在面である底面３５との密着性を高めるためであり、所定の形状に折り曲げるのは、ヒータ３２を底面３５と広い範囲で接触させてヒータ３２でドレンパン３１の底面３５の全体を均一に加熱するためである。したがって、ヒータ３２の折り曲げ形状は、本実施形態の例示した形状に限定されるものではない。
【００３２】
ヒータ３２の環状部分３７の一部は、固定具３４の下向きの凹部４０によって固定されるとともに、固定具３４の熱伝導平面部４１は、室外熱交換器１５底部の下方に設けられたドレンパン３１の水受け底面３６に沿って密着または接触して、固定具３４がドレンパン３１の底面３５にネジ４２で取り付けられる。
なお、ヒータ３２を固定具３４で固定する位置は特に限定されるものではない。
【００３３】
固定具３４の形状について、図３(ｂ)を参照して説明する。
固定具３４は、防錆処理した薄い鋼板などの板材を適宜、プレス加工の折り曲げ成形で製造される。
固定具３４は、螺子穴３４ｃ１が穿孔される固定平面部３９と、ヒータ３２を取り付ける中央付近に形成される下向きの凹部４０と、ヒータ３２の熱を融解水、ドレンパン３１等に伝達する熱伝導平面部４１とを有している。
【００３４】
固定具３４は、その一端側の固定平面部３９の中央側を下向きに開口するヒータ３２の外形と略同一な曲率半径をもった断面Ｒ状となるように折り曲げることにより、下向きの凹部４０を形成する。そして、固定具３４の凹部４０を、ドレンパン３１の長手方向(Ｘ方向)に直角に折り曲げた先の熱伝導平面部４１を室外熱交換器１５底部の下方に設けられたドレンパン３１の水受け底面３６(図３(ｂ)参照)に沿って密着または接触する形状に形成する。
【００３５】
このような固定具３４は、前記したように、通常プレス加工により形成されるが、曲げ加工の手順は上記の例に限定されるものではない。
詳細には、固定具３４の凹部４０の下向きの内周面４０ａは、ヒータ３２の外周面を囲うものであり、例えばヒータ３２の外周面に倣ってヒータ３２と密着するように、ヒータ３２の外形と略同一な曲率半径をもって形成される。そして、固定具３４の熱伝導平面部４１の下面４１ａは室外熱交換器１５底部の下方に設けられたドレンパン３１の水受け底面３６に沿って密着または接触するように形成されている。
【００３６】
上述の固定具３４でヒータ３２の環状部３７をドレンパン３１の底面３５に固定するに際しては、固定具３４の中央付近の下向きの凹部４０の内周面４０ａを、ヒータ３２の上から被せるとともに、固定具３４の長手方向(図３(ａ)、図３(ｂ)のＸ方向側)の一端側の熱伝導平面部４１を室外熱交換器１５底部の下方のドレンパン３１の水受け底面３６に沿わせ密着または接触させ、他端側に延在する平面部分の固定平面部３９をヒータ３２の環状部分２７の内側のドレンパン３１の底面３５上に配置し、ネジ４２をドレンパン３１の底面３５の螺子穴３５ａを通して底面３５に螺刻されるめねじに締結する。
【００３７】
次に、このようにして構成される室外熱交換器１５周辺での融解水を受けて流すドレンパン構造の作用について説明する。
固定具３４の一部の熱伝導平面部４１をドレンパン３１の水受け底面３６に沿って密着または接触させて取り付けることにより、固定具３４の凹部４０で固定したヒータ３２の熱が、当該凹部４０から熱伝導平面部４１に伝達(伝導)される。そして、ヒータ３２の熱が、固定具３４の熱伝導平面部４１からドレンパン３１の水受け底面３６に伝達される。これにより、水受け底面３６に滴下した融解水が、水受け底面３６に伝達された熱により加熱され凍結するのを抑制することができる。
【００３８】
これにより、室外熱交換器１５の底部とその下方に設けられたドレンパン３１の水受け底面３６間の距離が短くヒータ３２を設置できる寸法が確保されていない箇所についても、ヒータ３２で加熱された固定具３４の一端側の熱伝導平面部４１を、室外熱交換器１５の下方に設けられるドレンパン３１の水受け底面３６に沿った形状にすることで、室外熱交換器１５の下方に設けられたドレンパン３１の水受け底面３６の箇所が温められる。
そのため、室外熱交換器１５に着霜した融解水の再氷結を抑制することができる。
【００３９】
また、室外熱交換器１５の下方に設けられた固定具３４の一端側の熱伝導平面部４１が、火傷を負う危険性がある温度まで上昇する可能性がある場合、室外熱交換器１５がマンションなどの集合住宅のベランダなどに宙吊りに取り付けられることを考慮し、子供が指先をドレン穴３３に入れた際に触れない位置の形状にするとよい。
【００４０】
また、室外熱交換器１５底部の下方に設けられたドレンパン３１の水受け底面３６の形状が複雑で、水受け底面３６に倣った形状の形成が困難な場合には、熱交換器の下方に設けられた固定具３４の一端側の熱伝導平面部４１を平面に近い形状にしてもよい。
【００４１】
以上説明したように、第１実施形態の空気調和機１の室外機３によれば、固定具３４の一部(熱伝導平面部４１)が、室外熱交換器１５底部の下方に設けられたドレンパン３１の水受け底面３６に沿って密着または接触して設けられていることで、管状のヒータ３２の設置可能な寸法が確保されていない箇所についても融解水の再氷結を抑制することができ、空気調和機の信頼性、性能を向上させることができる。
【００４２】
＜＜第２実施形態＞＞
図４は、第２実施形態の排水効率を向上させた固定具４３を示す形状の例であり、(ａ)は固定具４３をドレンパン３１に取り付けた状態を示し、(ｂ)は固定具４３の斜視図を示す。
第２実施形態は、固定具４３の一端側の熱伝導平面部５１を、室外熱交換器１５底部の下方に設けられたドレンパン３１の水受け底面３６に密着または接触した形状ではなく、排水効率を向上させた形状にした場合である。
なお、固定具４３の一端側の熱伝導平面部５１以外は、第１実施形態と同様であるから同一の符号を付して示し、詳細な説明は省略する。
【００４３】
図４(ａ)に示すように、ヒータ３２で加熱された固定具４３の長手方向(Ｘ方向)の一端側の熱伝導平面部５１を、室外熱交換器１５底部の下方に設けられたドレンパン３１の水受け底面３６に沿った形状にすることで、室外熱交換器１５に着霜した融解水が固定具４３の上に落下する。そこで、第２実施形態では、融解水が落下する部分の形状を排水効率が向上する形状、例えば横断面が下方へ凸形状の複数の流路５１ｒがドレンパン３１のドレン穴３３近くに向けて延在する形状にしている(図４参照)。
【００４４】
これにより、固定具４３の熱伝導平面部５１の上に落下した融解水が複数の流路５１ｒでドレン穴３３に導かれ、ドレン穴３３を通しての排水効率が向上する。
従って、室外熱交換器１５に着霜した融解水の再氷結を抑制し、円滑にドレン穴３３から排水でき、空気調和機１の信頼性を向上させることができる。
【００４５】
以上説明したように、第２実施形態の空気調和機１の室外機３によれば、室外熱交換器１５底部の下方に設けられたドレンパン３１の水受け底面３６に沿って設けられた固定具４３の一部(熱伝導平面部５１)の形状が融解水の排水性を向上させるガイド形状にしている。
これにより、管状のヒータ３２の設置可能な寸法が確保されていない箇所についても融解水の再氷結を抑制し、排水が良好に行われ、空気調和機１の信頼性、性能を向上させることができる。
【００４６】
＜＜第３実施形態＞＞
図５は、第３実施形態のドレンパン３１の熱の影響を受けにくい固定具４４の一端側の熱伝導平面部６１を示す例である。
第３実施形態は、固定具４４の一端側の熱伝導平面部６１を、室外熱交換器１５の底部とその下方に設けられたドレンパン３１の水受け底面３６との間に、水受け底面３６に接触することなく設けた場合である。
なお、固定具４４の一端側の熱伝導平面部６１以外は、第１実施形態と同様であるから同一の符号を付して示し、詳細な説明は省略する。
【００４７】
ドレンパン３１は、室外機３のベースを兼ねるため、大きな面積をもつ部材である。そのため、ドレンパン３１の熱容量は大きく、ドレンパン３１から放熱される熱量も大きい。
そこで、第３実施形態では、固定具４４の一端側の熱伝導平面部６１を、室外熱交換器１５の底部とその下方に設けられたドレンパン３１の水受け底面３６との間に、ドレンパン３１の水受け底面３６に接触することなく設けている。
【００４８】
このように、固定具４４の熱伝導平面部６１とドレンパン３１とを接触させないことで、外気温の低下に伴い冷却されたドレンパン３１の熱吸収の影響を受けにくくなる。
そのため、ヒータ３２で加熱された固定具４４の温度低下が抑えられ、融解水の再氷結が抑制される。
【００４９】
或いは、室外熱交換器１５の底部とその下方に設けられたドレンパン３１の水受け底面３６との間に設けた固定具４４の熱伝導平面部６１をドレンパン３１の熱影響が受けにくい形状でドレンパン３１に接触または固定させる形状にしてもよい。例えば、固定具４４の熱伝導平面部６１のドレンパン３１への接触面積(伝熱面積)を小さくして、ドレンパン３１の水受け底面３６に接触させる。
【００５０】
或いは、室外熱交換器１５の底部とその下方に設けられたドレンパン３１の水受け底面３６との間に設けた固定具４４の熱伝導平面部６１とドレンパン３１の水受け底面３６の間に、断熱材(例えば、独立気泡をもつ断熱材など)を設けてもよい。
【００５１】
以上説明したように、第３実施形態の空気調和機１の室外機３によれば、固定具４４の一部の熱伝導平面部６１が室外熱交換器１５の底部とその下方に設けられたドレンパン３１の水受け底面３６との間に水受け底面３６に接触することなく設けられるので、管状のヒータ３２の設置可能な寸法が確保されていない箇所についても、ドレンパン３１での熱吸収を受けることなく室外熱交換器１５に着霜した融解水の再氷結を抑制し、空気調和機１の信頼性、性能を向上させることができる。
【００５２】
＜＜第４実施形態＞＞
図６に、第４実施形態の固定具４５の熱伝導平面部７１を示す。図６(ａ)は固定具４５をドレンパン３１に取り付けた状態を示し、図６(ｂ)は固定具４５の斜視図を示す。
第４実施形態は、固定具４５の一端側の熱伝導平面部７１を、室外熱交換器１５の底部とその下方に設けられたドレンパン３１の水受け底面３６との間に設けるだけでなく、融解水を受け溜める形状にしたものである。
なお、固定具４５の一端側の熱伝導平面部７１以外は、第１実施形態と同様であるから同一の符号を付して示し、詳細な説明は省略する。
【００５３】
前の第３実施形態で説明したように、ドレンパン３１は、大きな面積をもつため、ドレンパン３１の熱容量は大きく、また、ドレンパン３１から放熱される熱量も大きいと考えられる。
図６(ａ)に示すように、室外熱交換器１５の底部とその下方に設けられたドレンパン３１の水受け底面３６との間に設けた固定具４５の一端側の熱伝導平面部７１を、室外熱交換器１５に着霜した融解水を受けて溜める受け皿形状としている。
【００５４】
図６(ｂ)に示すように、固定具４５は、絞り成形により、室外熱交換器１５の下方に配置される熱伝導平面部７１を、融解水を受ける貯留平面部７１ｃと貯留平面部７１ｃ周囲に貯留平面部７１ｃから上方に形成される土手部７１ｄとを有する皿形状としている。
そのため、室外熱交換器１５周辺に着霜した融解水は、固定具４５の受け皿の熱伝導平面部７１に落下し溜められヒータ３２の熱で加熱され、オーバーフローしてドレンパン３１の水受け底面３６に落下する。これにより、ドレンパン３１の熱吸収の影響を極力少なくして、融解水をドレン穴３３より排水できる。
【００５５】
第４実施形態の空気調和機１の室外機３によれば、固定具４５の熱伝導平面部７１を皿形状とすることで、室外熱交換器１５周辺に着霜した融解水を熱伝導平面部７１に貯留し、極力、室外熱交換器１５底部の下方に設けられたドレンパン３１の水受け底面３６に落下させないようにしている。これにより、管状のヒータ３２の設置可能な寸法が確保されていない箇所についても、ドレンパン３１の熱吸収の影響をさらに少なくして融解水の再氷結を抑制し、排水することができる。
【００５６】
以上説明したように、第１〜第４実施形態によれば、ヒータ３２を室外熱交換器１５の底部の外周形状に倣った形状、または、室外熱交換器１５の外周形状とほぼ同じ大きさの形状を設置することができない等のヒータ３２を設置可能な寸法が確保されていない箇所についても、融解水の再氷結を抑制し、信頼性、性能を向上させた空気調和機１の室外機３を提供することができる。
【００５７】
なお、前記各実施形態においては、固定部材として、鋼板製の固定具３４を例示したが、ヒータ３２を固定する強度とヒータ３２の熱を熱伝導平面部４１に伝導する熱伝導性が良好なものであれば、固定部材として鋼板以外のものを用いてもよい。なお、鋼板は、安価で熱伝導性が良好であり、加工性もよく強度があるので、より望ましい。
【００５８】
また、前記各実施形態においては、加熱部材として、管状のヒータ３２を例示したが、固定具３４に密着または当接してドレンパン３１に固定されれば、管状のヒータ３２に限定されず、他の加熱部材でもよい。
【符号の説明】
【００５９】
１      空気調和機
３      室外機
１５    室外熱交換器
３１    ドレンパン
３２    ヒータ(加熱部材)
３３    ドレン穴
３４、４３、４４、４５  固定具(固定部材)
３５    底面(延在面)
３６    水受け底面(ドレンパンの箇所)
３７    環状部分(加熱部材の一部)
３９    固定平面部(固定部材)
４０    凹部(固定部材)
４１、５１、６１  熱伝導平面部(伝熱部)
５１ｒ  流路
７１    熱伝導平面部(伝熱部)
７１ｃ  貯留平面部(受け皿形状)
７１ｄ  土手部(受け皿形状)
【図１】
2012107820.tif 000003
【図２】
2012107820.tif 000004
【図３】
2012107820.tif 000005
【図４】
2012107820.tif 000006
【図５】
2012107820.tif 000007
【図６】
2012107820.tif 000008